(57)【要約】本発明は積層可能な洋服掛けに関し、その主要構成は掛け用フックと、上記掛け用フックの一端で左右に傾斜するように各々延長形成されて、上着の肩の部分を支持するための肩支え部でなる洋服掛けにおいて、上記肩支え部は、その中央部分に同種の洋服掛けの掛け用フックが挿入されるほどの大きさ以上の通孔部が上下に貫通するように形成され、内面には同種の洋服掛けの肩支え部の少なくとも一部分が収納できる収容空間が形成されることを特徴とし、上記のような構成によって、多数個の洋服掛けを上下に積層可能にする構造を単純化して、生産性を向上させ、また多数の洋服掛けを積層の際、体積を極めて減少させることができる。【選択図】図４
2008543361.tif 000002
【特許請求の範囲】
【請求項１】
掛け用フックと、前記掛け用フックの一端で、左右に傾斜するように各々延長形成されて、上着の肩の部分を支持するための肩支え部と、で成る積層可能な洋服掛けにおいて、
前記肩支え部は、
その中央部分に、同種の洋服掛けの掛け用フックが挿入されるほどの大きさ以上の通孔部が上下に貫通するように形成され、
内面には同種の洋服掛けの肩支え部の少なくとも一部分が収納できる収容空間が形成されることを特徴とする積層可能な洋服掛け。
【請求項２】
前記肩支え部は、その両側下部に挿入孔が形成された支持台が各々突出形成され、前記支持台の両側挿入孔には、ズボンを掛けるためのズボン掛け棒が回動可能に挟まれることを特徴とする請求項1記載の積層可能な洋服掛け。
【請求項３】
前記ズボン掛け棒は、その両端がフック形状で折り曲げられ、上記フック形状に折り曲げられた部分が前記支持台の前記挿入孔に挟まれることを特徴とする請求項2記載の積層可能な洋服掛け。
【発明の詳細な説明】
【技術分野】
【０００１】
本発明は積層可能な洋服掛けに関するもので、特に洋服掛けを上下に積層可能にして保管または運搬が容易な積層可能な洋服掛けに関する。 
【背景技術】
【０００２】
従来、頻繁に使われる洋服掛けは、図1に示されたように、上着の肩部を支持するための肩支え部12と、上記肩支え部12の中間に形成された首部13と、上記首部13の中央に取付けられて、服をかけるための掛け用フック11と、から構成されている。
【発明の開示】
【発明が解決しようとする課題】
【０００３】
しかし、上記のような洋服掛けは、多数個の洋服掛けを積層させて保管しようとする場合、肩支え部12と首部13と掛け用フック11とが互いに重ねられる部分がないので、その全体的な体積が非常に大きくなり、又洋服掛けを保管するための保管面積が大きくなって、整理整頓が容易でないだけでなく、またこのため、洋服掛けを運搬しようとする場合にも体積の膨大による運送費用が増加されてしまう問題点があった。
【０００４】
上記のような点を勘案して、韓国実用新案公報公告番号実1994-0005206号の洋服掛けでは、図2に示されたように、掛け棒10の上側中央部に掛け具20を収容できる収容室14を形成し、上記収容室14内で掛け具20の下部に形成した回転具21が自由に回転可能にする構造が提案されている。 
【課題を解決するための手段】
【０００５】
上記の考案は、洋服掛けを上下に積層させようとする場合、掛け具20の下部に形成した回転具21が収容室14内で回転しながら、掛け具20が収容室14に収容されることで、最上側の洋服掛けを除いた、その他の洋服掛けらは、図3に示されたように積層可能になって、多い量の洋服掛けを狭い空間に容易に保管することができ、また運送も容易であるとの利点はあるが、掛け具20を収容室14内に受け込むためには、掛け具20の下部に形成した回転具21が、収容室14内で回転するようにする複雑な構造が必要であって、これに伴い洋服掛けの生産コストを上昇させる問題点があり、また多数の洋服掛けを積層する場合には、実質的に体積が減少される部分は、洋服掛けの掛け具20を形成した高さ以外にはこれ以上体積が減少されないので、体積減少の実質的な目的を達成するには限界があった。 
【０００６】
本発明は上記したような、諸般問題点を解決するため案出されたものであって、その目的は洋服掛けを上下に積層可能にする構造を単純化して生産性を向上させ、また多数の洋服掛けを積層時、体積減少の効果の大きい積層可能な洋服掛けを提供することにある。
【０００７】
上記の目的を達成するため、本発明に係わる積層可能な洋服掛けは、掛け用フックと、上記掛け用フックの一端で左右に傾斜して各々延長形成され、上着の肩の部分を支持するための肩支え部と、からなる洋服掛けにおいて、上記肩支え部は、その中央部分に同種の洋服掛けの掛け用フックが挿入されるほどの大きさ以上の通孔部が上下に貫通するように形成され、内面には同種の洋服掛けの肩支え部の少なくとも一部分が収納できる収容空間が形成されることを特徴とする。
上記肩支え部はその両側下部に挿入孔が形成された支持台が各々突出形成され、上記支持台の両側挿入孔にはズボンを掛け保持するためのズボン掛け棒が回動可能に挟まれることが望ましい。
上記ズボン掛け棒は、その両端がフック形状に折曲され、上記フック形状に折曲された部分が、上記支持台の挿入孔に挟まれることが望ましい。
【発明の効果】
【０００８】
本発明に係わる積層可能な洋服掛けは、多数個の洋服掛けを上下に積層可能にする構造を単純化して、生産性を向上させ、生産コストの低減を図ることができ、また多数の洋服掛けを積層の際、従来の洋服掛けを積層する場合に比べて、体積減少の効果が大きいので、狭い空間に多い量の洋服掛けらを手軽に保管することができるだけでなく、運搬時にも容易に運搬することができる効果がある。
【発明を実施するための最良の形態】
【０００９】
以下、本発明の望ましい実施例に係わる積層可能な洋服掛けを添付図面に基づいて、詳細に説明すると次の通りである。 
【００１０】
図4乃至図7は、本発明に係わる積層可能な洋服掛けの図であって、図4は、本発明に係わる積層可能な洋服掛けの斜視図であり、図5は、本発明に係わる積層可能な洋服掛けの掛け用フックに対する他の実施例を示す斜視図であり、図6は、本発明の積層可能な洋服掛けを積層する状態を示す説明図であり、図7は、本発明の積層可能な洋服掛けが3個積層された状態の斜視図である。
【００１１】
本発明に係わる積層可能な洋服掛けは、図4に示したように、掛け用フック1と、上記掛け用フック1の一端で左右に傾斜するように各々延長形成されて、上着の肩の部分を支持するための肩支え部2と、から成る。
【００１２】
上記肩支え部2は、その中央の部分に同種の洋服掛けの掛け用フック1が挿入されるほどの大きさ以上の通孔部3が上下に貫通するように形成され、上記通孔部3の外周の一側には掛け用フック1が上向きに突出延設される。
【００１３】
また、上記肩支え部2の内面には、その内面の長さ方向に沿って、収容空間4が形成され、上記収容空間4には同種の洋服掛けの肩支え部2の上面が収納されて積層される。
【００１４】
上記掛け用フック1は壁面に固定クギやハンガーらに洋服掛けをかけるための部分であって、図4に示したように通孔部3の外周の一側に上記肩支え部2と同種の材質であって一体に形成することもでき、図5に示したように、上記肩支え部2を構成する材質とは違った材質で、通孔部3の外周の一側に上向きに延長して、突出形成することもできる。
【００１５】
上記のような構成を有する本発明に係わる積層可能な洋服掛けは、肩支え部2の中央の部分に形成した通孔部3と、その下面に形成した収容空間4によって、多数の洋服掛けを相互積層可能にし、その積層する過程は、図6に示したように洋服掛けを上側と下側に隣接させた後、上側に位置する洋服掛けの通孔部3に、下側洋服掛けに位置する掛け用フック1を挟むと、下側洋服掛けに位置する掛け用フック1が上側に位置する洋服掛けの通孔部3に挿入されて、下側洋服掛けに位置する肩支え部2の上面が上側洋服掛けに位置する肩支え部2の下面に形成した収容空間4内に挿入されるので、図7に示したように多数の洋服掛けらが最小の体積で積層されることになる。また狭い空間に多い量の洋服掛けらを顕著に減少した体積によって手軽に保管できるだけでなく、運搬時にも積層された全体洋服掛けらの体積が顕著に減少されて、容易に運搬することができる。
【００１６】
図8乃至図11は、本発明の他の実施例に係わる積層可能な洋服掛けの図面であって、図8は、本発明の他の実施例に係わる積層可能な洋服掛けの斜視図であり、図9は図8の一部の部分切り欠き図であり、図10は、本発明の他の実施例に係わる積層可能な洋服掛けを積層する状態を示す説明図あり、図11は、本発明の他の実施例に係わる積層可能な洋服掛けが3個積層された状態の斜視図である。
【００１７】
本発明の他の実施例に係わる積層可能な洋服掛けは、図8に示したように肩支え部2の下側にズボンを掛けるためのズボン掛け棒5がさらに付着される点だけが図4の洋服掛けと違う点である。
【００１８】
上記ズボン掛け棒5は、図9に示したように肩支え部2の下面に回動可能に挟まれる。この時、肩支え部2は、その両側下部に挿入孔6が形成された支持台7が、各々突出形成されて、ズボン掛け棒5の両端は、各々フック形状に折り曲げられて、上記フック形状に折曲された部分8が上記支持台7の挿入孔6に各々挟まれることになる。
【００１９】
上記ズボン掛け棒5が肩支え部2の下面に回動可能に挟まれる構造は、上記の例では挿入孔6にフック形状に折り曲げられた部分8が挟まれることで説明したが、これは例示的なものであって、その以外に他の方式によって、ズボン掛け棒5を肩支え部2の下面に回動可能に結合する構造も本発明の範疇に属することは勿論である。
【００２０】
上記のような構成を有する本発明の他の実施例に係わる積層可能な洋服掛けを多数個積層しようとする場合には、図10に示したように洋服掛けを上側と下側に隣接させた後、上側に位置する洋服掛けのズボン掛け棒5をわきに離れておいて、上側に位置する洋服掛けの通孔部3に下側洋服掛けに位置する掛け用フック1を挟むと、下側洋服掛けに位置する掛け用フック1が上側に位置する洋服掛けの通孔部3に挟まれながら、下側洋服掛けに位置する肩支え部2の上面が上側洋服掛けに位置する肩支え部2の下面に形成した収容空間4内に挿入されることになる。そこで、図11に示したように多数の洋服掛けが最小の体積で積層されることになり、狭い空間に多い量の洋服掛けらを顕著に減少した体積によって手軽に保管できるだけでなく、運搬時にも積層された全体洋服掛けらの体積が顕著に減少されることで、容易に運搬できるようになる。
【００２１】
本発明は添付された図面に示された実施例らを基準として説明したが、これは例示的なものであって、当該技術分野で通常の知識を有する者であれば、これから多様な変形および同等な実施例を考え出すことができるので、このような同等な実施例また本発明の特許請求範囲内に含まれると言える。 
【産業上の利用可能性】
【００２２】
本発明に係わる積層可能な洋服掛けは、多数個の洋服掛けを上下に積層可能にする構造を単純化して、生産性を向上させ、生産コストの低価格化が図られる。また多数の洋服掛けを積層の際、従来の洋服掛けを積層する場合に比べて、体積減少の効果が大きいので、狭い空間に多い量の洋服掛けを手軽に保管できるだけでなく、運搬時にも容易に運搬できる効果がある。
【図面の簡単な説明】
【００２３】
【図１】従来の洋服掛けに対する斜視図である。
【図２】従来の他の洋服掛けに対する斜視図である。
【図３】図2の洋服掛けを積層した状態の断面図である。
【図４】本発明に係わる積層可能な洋服掛けの斜視図である。
【図５】本発明に係わる積層可能な洋服掛けの掛け用フックに対する他の実施例を示す斜視図である。
【図６】本発明に係わる積層可能な洋服掛けを積層する状態を示す説明図である。
【図７】本発明に係わる積層可能な洋服掛けが3個積層された状態の斜視図である。
【図８】本発明の他の実施例に係わる積層可能な洋服掛けの斜視図である。
【図９】図8の一部の部分切り欠き図である。
【図１０】本発明の他の実施例に係わる積層可能な洋服掛けを積層する状態を示す説明図である。
【図１１】本発明の他の実施例に係わる積層可能な洋服掛けが3個積層された状態の斜視図である。
【図１】
2008543361.tif 000003
【図２】
2008543361.tif 000004
【図３】
2008543361.tif 000005
【図４】
2008543361.tif 000006
【図５】
2008543361.tif 000007
【図６】
2008543361.tif 000008
【図７】
2008543361.tif 000009
【図８】
2008543361.tif 000010
【図９】
2008543361.tif 000011
【図１０】
2008543361.tif 000012
【図１１】
2008543361.tif 000013
【国際調査報告】
2008543361.tif 000014
2008543361.tif 000015